(57)【要約】      （修正有）【課題】ドラムに設けられた軸穴を塞ぐための取り付け・取り外しが容易であり、加えて生物の軸穴への侵入を防止する電線・ケーブル用ドラム軸穴キャップを提供する。【解決手段】電線・ケーブルを巻くために用いられるドラム１の鍔の平面側中央に、対抗する鍔の平面側中央に貫通するように設けられた軸穴２を塞ぐための軸穴キャップであって、該軸穴キャップは、軸穴２とは形状の異なるキャップ挿入部を有することを特徴とする電線・ケーブル用ドラム軸穴キャップ。【選択図】図１
2011032084.tif 000002
【特許請求の範囲】
【請求項１】
電線・ケーブルを巻くために用いられるドラムの鍔の平面側中央に、対抗する鍔の平面側中央に貫通するように設けられた軸穴を塞ぐための軸穴キャップであって、該軸穴キャップは、軸穴とは形状の異なるキャップ挿入部を有することを特徴とする電線・ケーブル用ドラム軸穴キャップ。
【請求項２】
前記軸穴が円形状を有し、前記キャップ挿入部が多角形状であることを特徴とする請求項１に記載の電線・ケーブル用ドラム軸穴キャップ。
【請求項３】
前記キャップ挿入部が四角形状を有し、対角の長さが軸穴の直径＋5mm〜15mmであることを特徴とする請求項１又は２に記載の電線・ケーブル用ドラム軸穴キャップ。
【請求項４】
前記軸穴の内側への落ち込みを防止するための、キャップ落ち込み防止止め部を有することを特徴とする請求項１乃至３いずれかに記載の電線・ケーブル用ドラム軸穴キャップ
【請求項５】
前記軸穴キャップが、弾性のある高分子材料であることを特徴とする請求項１乃至４いずれかに記載の電線・ケーブル用ドラム軸穴キャップ。
【請求項６】
前記キャップ挿入部またはキャップ落ち込み防止止め部に忌避剤を使用することを特徴とする請求項１乃至５いずれかに記載の電線・ケーブル用ドラム軸穴キャップ。
【発明の詳細な説明】
【技術分野】
【０００１】
本発明は、電線・ケーブルの一般的な荷姿として使用される電線・ケーブル用ドラム１に関し、特に長期の屋外等での保管時に該電線・ケーブル用ドラム１の鍔の平面側中央に設けられている軸穴２へ生物が侵入してくることを防止するのに適した電線・ケーブル用ドラム軸穴キャップである。
【背景技術】
【０００２】
図１及び２に示している電線・ケーブル用ドラム１には、両鍔の平面側中央に対抗するように軸穴２が設けられており、該軸穴２は電線・ケーブルの敷設・延線の際の、ドラムの回転や、荷卸の際にドラムを吊るすために用いられるため、通常塞いだりはしない。ただし、長期間保管する場合、生物が侵入してくることを防止するために、紙をテープまたはタッカ等で貼り付けるか、もしくは鉄板を打ち付けることで該軸穴２を塞ぎ保管している。
【０００３】
また、特許文献１では、両端部に第１及び第２のネジ部をそれぞれ有するドラムジャッキ心棒と、内周面にドラムジャッキ心棒の両端に形成されたネジ部に対応するネジ溝が形成された円筒状の第１及び第２の本体部、かつ第１及び第２本体部の外周に取付けられた第１及び第２の網部を備えた第１及び第２の蓋によって構成される小動物侵入防止装置が開示されている。
【先行技術文献】
【特許文献】
【０００４】
【特許文献１】特開２００７−１３７５８０号公報
【発明の概要】
【発明が解決しようとする課題】
【０００５】
しかし、電線・ケーブル用ドラムを保管する際、従来は軸穴を塞がないため、軸穴に生物（蛇、蜂等）が侵入し、電線・ケーブル用ドラムの運搬のために従業員が軸穴に心棒を通す作業時に、軸穴に侵入していた蜂に刺されるといったケースが発生している。また、軸穴を塞がないまま長期間保管した場合、軸穴に侵入した生物が営巣する危険性がある。そのため、紙もしくは鉄板で軸穴を塞ぐことになるが、紙の場合、保管または取り外し時に破れることがあり、また、再保管時のテープ等の再使用が必要となる。鉄板の場合も、軸穴への打ち付けや取り外しを行う必要があり、再取り付けが煩雑である。
【０００６】
このような問題に対応するために、上記特許文献１の手法が存在するが、取り付け時の煩雑さが解消されておらず、また、多くの部品を必要とするため装置一つにかかる費用が大きくなる。加えて、軸穴から心棒の両端部が剥き出しており、また、風雨による心棒、または第１及び第２の蓋の腐食が考えられ、大量のドラムの保管もしくは屋外での長期保管に適さないといった問題がある。
【０００７】
以上の状況を鑑み、本発明は、前記軸穴２を塞ぐための取り付け・取り外しが容易であり、加えて生物の軸穴への侵入を防止する電線・ケーブル用ドラム軸穴キャップ３を提供するところにある。
また、該軸穴キャップ３取り付け時、該軸穴キャップ３が電線・ケーブル用ドラム１の内側に落ち込まないように、もしくは、長時間の屋外保管時に、風雨に曝されることでキャップが抜け落ちないようにすることも必要である。 
【課題を解決するための手段】
【０００８】
上記目的を達成するために請求項１の発明は、電線・ケーブルを巻くために用いられるドラムの鍔の平面側中央に、対抗する鍔の平面側中央に貫通するように設けられた軸穴を塞ぐための軸穴キャップであって、該軸穴キャップは、軸穴とは形状の異なるキャップ挿入部を有することを特徴とする電線・ケーブル用ドラム軸穴キャップである。
【０００９】
また、請求項２の発明は、前記軸穴が円形状を有し、前記キャップ挿入部が多角形状であることを特徴とする請求項１に記載の電線・ケーブル用ドラム軸穴キャップである。
【００１０】
また、請求項３の発明は、前記キャップ挿入部が四角形状を有し、対角の長さが軸穴の直径＋5mm〜15mmであることを特徴とする請求項１又は２に記載の電線・ケーブル用ドラム軸穴キャップである。
【００１１】
また、請求項４の発明は、前記軸穴の内側への落ち込みを防止するための、キャップ落ち込み防止止め部を有することを特徴とする請求項１乃至３いずれかに記載の電線・ケーブル用ドラム軸穴キャップである。
【００１２】
また、請求項５の発明は、前記軸穴キャップが、弾性のある高分子材料であることを特徴とする請求項１乃至４いずれかに記載の電線・ケーブル用ドラム軸穴キャップである。
【００１３】
また、請求項６の発明は、前記キャップ挿入部またはキャップ落ち込み防止止め部に忌避剤を使用することを特徴とする請求項１乃至５いずれかに記載の電線・ケーブル用ドラム軸穴キャップである。
【発明の効果】
【００１４】
本発明により、電線・ケーブル用ドラム１保管時の軸穴２への生物の侵入を防止することができ、それによって、ドラム取扱時の安全性の向上を提供することができる。また、従来の紙、もしくは鉄板よりも、容易に取り付け・取り外しが可能であり、作業性の改善を図ることができる。
【図面の簡単な説明】
【００１５】
【図１】本発明の実施例を適用する電線・ケーブル用ドラム１の構造を示す側面図である。
【図２】本発明の実施例を適用する電線・ケーブル用ドラム１の構造を示す断面図である。
【図３】本発明の実施例による電線・ケーブル用ドラム軸穴キャップ３の側面図である。
【図４】本発明の実施例の図３を下方向から見た図である。
【図５】本発明の実施例を適用する電線・ケーブル用ドラム軸穴キャップ３の構造の他の例（キャップ挿入部に絞りを入れる）を示すものである。
【図６】本発明の実施例を適用する電線・ケーブル用ドラム軸穴キャップ３の構造の他の例（他の材質を用いたキャップ挿入部に弾性のある高分子材料を被覆させる）を示すものである。
【図７】本発明の実施例を適用する電線・ケーブル用ドラム１に本発明の実施例による電線・ケーブル用ドラム軸穴キャップ３を装着している状態を示す断面図である。
【図８】本発明の実施例による電線・ケーブル用ドラム軸穴キャップ３の構造の他の例（キャップ挿入部の挿入側平面に返しを設ける）を示すものである。
【発明を実施するための形態】
【００１６】
図３及び４に示す本発明である電線・ケーブル用ドラム軸穴キャップ３は、電線・ケーブル用ドラム１の保管時に、前記キャップ挿入部４を、電線・ケーブル用ドラム１の両鍔の平面側中央にある軸穴２に挿入することにより、該軸穴２を塞ぎ、該軸穴２への生物の侵入、または生物の営巣を防ぐことを目的としているところに特徴がある。
【００１７】
前記キャップ挿入部４は、多角形状であり、その対角の長さを軸穴直径よりもやや長くし、前記軸穴キャップ３を抜けにくくすることにより外部への脱落を防ぐ。また、該キャップ挿入部４の対角よりも長い対角もしくは直径をもった角形または円形状のキャップ落ち込み防止止め部５を付けることで、該軸穴キャップ３を挿入した際に、キャップが該軸穴２内部へ落ち込むことを防ぐ。
【００１８】
前記軸穴キャップ３は、万一、前記軸穴２と該軸穴キャップ３との間に隙間が発生した場合、隙間から該軸穴２への生物の侵入を防止するために、忌避剤を含む。
【００１９】
前記軸穴キャップは、前記キャップ挿入部４の対角の長さを該軸穴２の直径よりも長くし、該キャップ挿入部４は弾性のある高分子材料を使用することで、挿入時に容易に変形し、該軸穴２への容易な取り付けが可能となり、加えて軸穴内でのキャップ挿入部４の軸穴内面への拡張力による圧がかかることで、該軸穴キャップ３の外側への安易な脱落を防ぐことができる。また、該キャップ挿入部４は多角形状であることから、各頂点で軸穴内面と接することにより、余分な摩擦力が生じないため、該軸穴キャップ３の取り外しも容易に行うことができる。
【００２０】
前記キャップ挿入部４の対角の長さは、軸穴直径＋5mm〜15mmが望ましい。
【００２１】
前記キャップ挿入部４の形状は四角形状に限らず、六角形、八角形等の対角をつくる多角形もしくは、星型等の軸穴内面と点で接する形状であれば、安易な外側へのキャップの脱落を防ぐことができる。また、前記キャップ落ち込み防止止め部５は、軸穴キャップ３の軸穴内部への落ち込みを防ぐ効果を得られれば、その形状は四角形に限らず、他の多角形もしくは円形でも可能である。
【００２２】
前記軸穴キャップ３に使用される弾性のある高分子材料は、ポリエチレン、ゴム、ビニル、ウレタン等を用いることができる。
【００２３】
前記忌避剤の使用形式は、前記軸穴キャップ３に練り込む場合に限らず、該軸穴キャップ３全体に塗布する、または前記キャップ落ち込み防止止め部５に固形忌避剤をはめ込む等、忌避効果が期待できる形式であればよい。
【実施例】
【００２４】
以下、本発明の電線・ケーブル用ドラム軸穴キャップ３の実施例について説明する。該軸穴キャップ３は、JCS8077（電線包装用木製ドラム。JCSは日本電線工業会規格を指す）で規定しているドラム１（軸穴寸法は、50mmΦ、75mmΦ、110mmΦ）を対象とする。これら該ドラム１の軸穴２に対し、軸穴直径＋5mm〜15mmの対角を有する四角形状のウレタン製キャップ挿入部４を直接該軸穴２に挿入することによって軸穴を塞ぎ、生物の該軸穴２への侵入を防ぐ。例えば、軸穴寸法が75mmΦのドラムであれば、対角の長さが80mm〜90mmである該キャップ挿入部４を有する該軸穴キャップ３を該軸穴２に直接挿入することとなる。また、弾性のある高分子材料であるウレタンを用いることにより、挿入したキャップ挿入部４が容易に変形し、それによって、該キャップ挿入部４の対角と軸穴直径の長さが異なっても容易に挿入が可能となるとともに、挿入時の該キャップ挿入部４の変形による拡張力によって、軸穴内面に該キャップ挿入部４からの圧がかかり、その結果、安易な外側への脱落を防げる。
【００２５】
該キャップ挿入部４の挿入側平面の対抗平面に、該キャップ挿入部４と同様のウレタン製であり、かつ該キャップ挿入部４の対角よりもやや長い四角形状のキャップ落ち込み防止止め部５を取付けることでキャップの軸穴内部への落ち込みを防げる。加えて、図７が示すように、該キャップ落ち込み防止止め部５はドラム１の鍔の外部に露出しており、該軸穴キャップ３に含有している忌避剤によって、外側からの生物の侵入を防止することができる。
該軸穴キャップ３挿入時には、キャップ落ち込む防止止め部５とドラム１の鍔の平面とが接するまで挿入する。
以上によって、容易な取り付け・取り外しによる作業効率の改善と、生物の軸穴への侵入を絶ち、それによる生物の軸穴内での営巣を防ぐという目的を実現した。
【他の実施の形態】
【００２６】
使用頻度の増加によって、前記キャップ挿入部４の各対角が磨耗し、該キャップ挿入部４の軸穴内面への圧が減少することで、該キャップ挿入部４が外側にずれ、該軸穴キャップ３と該軸穴２を有する電線・ケーブル用ドラム１の鍔の平面側との間に隙間が生じる場合があるが、該キャップ挿入部４及び前記キャップ落ち込み防止止め部５に忌避剤を含有させていることにより、生物の侵入防止効果を損なうことはない。
【００２７】
図５に示すように、前記キャップ挿入部４に、絞りを入れてもよい。このとき、より脱落防止効果の向上が見込める。
【００２８】
前記キャップ挿入部４が弾性のある高分子材料を使用すればよく、キャップ落ち込み防止止め部５は、該キャップ挿入部４と異なった材料を使用してもよい。
【００２９】
図６が示すように、前記軸穴キャップ３と同様の形状であって、金属等の他の材質を用いた円形状のキャップ挿入部４が多角形状となるように弾性のある高分子材料６を被覆させた該キャップ挿入部４を直接軸穴に挿入してもよい。このとき、金属等の他の材質を用いたキャップ挿入部４の円形部直径はドラム軸穴直径よりやや短いものがよく、また、被覆する該高分子材料６の対角の長さはキャップ挿入部直径＋5mm〜15mmが望ましい。
【００３０】
図８が示すように、前記キャップ挿入部４に、スポンジ等の弾性の高い高分子材料を使用することで、該キャップ挿入部４挿入側平面に「返し」７を設けることにより、外側への脱落防止効果を高めることができる。このとき、上記弾性の高い高分子材料の使用によって、「返し」７による軸穴キャップ３の取り外しの容易性が損なわれることはない。
【符号の説明】
【００３１】
１．ドラム
２．軸穴
３．軸穴キャップ
４．キャップ挿入部
５．キャップ落ち込み防止止め部
６．高分子材料
７．返し
【図１】
2011032084.tif 000003
【図２】
2011032084.tif 000004
【図３】
2011032084.tif 000005
【図４】
2011032084.tif 000006
【図５】
2011032084.tif 000007
【図６】
2011032084.tif 000008
【図７】
2011032084.tif 000009
【図８】
2011032084.tif 000010